(57)【要約】      （修正有）【課題】カタログギフトにおいて、贈答者の意図が反映された贈答品候補が掲載されたオリジナル贈答カタログを作成・配付する。【解決手段】贈答品を贈る贈答者の贈答者端末装置１００が、展示され商品に付随する商品タグ６４０にタッチして商品名と商品識別子を読み取り、商品名を列挙するギフト・リストを作成・表示するステップ、贈答者端末装置１００が、商品識別子と受贈者メール・アドレスをカタログ・サーバー装置３００に送信するステップ、カタログ・サーバー装置３００が、受贈者メール・アドレスに、ギフト・カタログの配付を通知する贈答メールを送信するステップ、贈答メールを受信した受贈者が、自分宛のギフト・カタログにアクセスするステップ、カタログ・サーバー装置が、商品識別子と商品ＤＢに基づいて、ギフト・カタログを作成・配付するステップ、を含んだ手順でなされる。【選択図】図１
2015041278.tif 000002
【特許請求の範囲】
【請求項１】
商品識別子と詳細情報との組合せを格納する商品データベースと、
認証コードを、商品識別子と対応付けて格納するカタログ・データベースと、
を用いるギフト・カタログ配布方法であって、
贈答品を贈る贈答者が携帯する贈答者端末装置が、場に展示され商品に付随する商品タグに近距離無線接続されると、商品タグが記憶する商品名および商品識別子を含む商品情報を読み取って、この商品情報の商品名を含むギフト・リストを作成して表示するギフト・リスト作成ステップ、
場に設置されたレジ装置が、代金領収により生成された認証コード送信要求をカタログ・サーバー装置に送信するとともに、返信された認証コードを贈答者に通知する代金支払ステップ、
贈答者端末装置が、表示したギフト・リストの作成に用いた前記商品情報の商品識別子と、贈答者により入力された前記認証コードと受贈者メール・アドレスと、を含むギフト情報を作成して、これをカタログ・サーバー装置に送信するギフト情報送信ステップ、
カタログ・サーバー装置が、受信したギフト情報の商品識別子と認証コードとを対応付けて、カタログ・データベースに格納するデータベース格納ステップ、
カタログ・サーバー装置が、受贈者メール・アドレスに、認証コードを含むギフト・カタログの配付を通知する贈答メールを送信する贈答メール発行ステップ、
贈答メールを受信した受贈者が認証コードを用いて、自分宛のギフト・カタログにアクセスするギフト・カタログ閲覧請求ステップ、
カタログ・サーバー装置が、ギフト・カタログにアクセスする受贈者の認証コードに基づいて、カタログ・データベース上の受贈者宛のギフト・カタログの作成に用いる商品識別子を検索する商品情報検索ステップ、
カタログ・サーバー装置が、検索した商品識別子に基づいて商品データベースを参照して、詳細情報を検索する商品詳細情報検索ステップ、
検索した詳細情報を用いて、ギフト・カタログを作成してこれを受贈者に返信するギフト・カタログ提供ステップ、
を含んだ手順でなされることを特徴とするギフト・カタログ配布方法。
【請求項２】
請求項１に記載のギフト・カタログ配布方法であって、
前記近距離無線接続は、
ＩＳＯ／ＩＥＣ  １４４４３  （ＭＩＦＡＲＥ）、ＩＳＯ／ＩＥＣ  １８０９２、ＩＳＯ／ＩＥＣ ２１４８１、ＩＥＥＥ ８０２.１５．１に基づく近距離無線通信規格である、ことを特徴とするギフト・カタログ配布方法。
【請求項３】
カタログ・サーバー装置と、贈答品を贈る贈答者が携帯する贈答者端末装置と、贈答メールを受信した受贈者の贈答品注文端末装置と、贈答品を展示する場に設置された、贈答代金を支払うレジ装置と、が接続可能に構成されるギフト・カタログシステムであって、
前記ギフト・カタログシステムは、さらに、前記贈答者端末装置と、場に展示され商品に付随する商品タグと、が近距離無線接続を可能に構成されるカタログシステムであって、
前記商品タグは、
商品名および商品識別子を含む商品情報を記憶する記憶手段と、
商品情報要求を受け付けて、記憶する商品情報を無線返信する無線送信手段と、
を備えるタグであって、
前記レジ装置は、
贈答品の代金領収により生成された認証コード送信要求をカタログ・サーバー装置に送信する認証コード要求手段と、
カタログ・サーバー装置が返信する認証コードを受信する認証コード受信手段と、
返信された認証コードを含む領収書を印刷する認証コード印刷手段と、
を備えるレジ装置であって、
前記贈答者端末装置は、
ＷＥＢブラウザー、もしくはＷＥＢブラウザー機能を含むアプリと、
商品タグの商品情報を読み取る商品名読取手段と、
を備える端末装置であって、
前記カタログ・サーバー装置は、
商品識別子と詳細情報との組合せを格納する商品データベースと、
認証コードを対応付けた商品識別子を格納するカタログ・データベースと、
を記憶する記憶手段と、
レジ装置が送信する認証コード送信要求を受け付けて、認証コードを生成して返信する認証コード発行手段と、
商品タグから取得した商品情報に基づいてギフト・リストを作成して表示させるギフト・リスト表示画面の記述データと、前記認証コードとメール・アドレスの入力を受け付けて、表示したギフト・リストの作成に用いた前記商品情報の商品識別子と認証コードとメール・アドレスを含むギフト情報を作成して返信させるギフト情報送信画面の記述データと、を贈答者端末装置に送信するギフト画面送信手段と、
贈答者端末装置から返信されるギフト情報を受け付けるギフト情報受付手段と、
ギフト情報の認証コードと商品識別子とを対応付けて、カタログ・データベースに格納するデータベース格納手段と、
認証コードを含むカタログ閲覧請求を発行する電子メールを作成して、ギフト情報の電子メール・アドレスに送信する贈答メール発行手段と、
贈答品注文端末装置が送信するカタログ閲覧請求を受け付けるカタログ閲覧請求受付手段と、
受け付けたカタログ閲覧請求に含まれる認証コードに基づいて、カタログ・データベースから、対応する商品識別子を検索する商品情報検索手段と、
検索した商品識別子に基づいて、商品データベースから、詳細情報を検索する詳細情報検索手段と、
取得した詳細情報に基づいて、配達先住所を含む贈答品の注文情報を作成するギフト・カタログの記述データを作成するギフト・カタログ作成手段と、
作成したギフト・カタログの記述データを贈答品注文端末装置に返信するカタログ提供手段と、
を備えるサーバー装置であって、
前記贈答品注文端末装置は、
ＷＥＢブラウザー、もしくはＷＥＢブラウザー機能を含むアプリと、
メーラーと、
を備える端末装置である、
ことを特徴とするギフト・カタログシステム。
【請求項４】
請求項３に記載のギフト・カタログシステムであって、
前記近距離無線接続は、
ＩＳＯ／ＩＥＣ  １４４４３  （ＭＩＦＡＲＥ）、ＩＳＯ／ＩＥＣ  １８０９２、ＩＳＯ／ＩＥＣ ２１４８１、ＩＥＥＥ ８０２.１５．１に基づく近距離無線通信規格である、
ことを特徴とするカタログシステム。
【請求項５】
商品識別子と詳細情報との組合せを格納する商品データベースと、
認証コードを対応付けた商品識別子を格納するカタログ・データベースと、
を記憶する記憶手段と、
レジ装置が送信する認証コード送信要求を受け付けて、認証コードを生成して返信する認証コード発行手段と、
商品タグから取得した商品情報に基づいて、ギフト・リストを作成して表示させるギフト・リスト表示画面の記述データと、前記認証コードとメール・アドレスの入力を受け付けて、表示したギフト・リストの作成に用いた前記商品情報の商品識別子と認証コードとメール・アドレスを含むギフト情報を作成して返信させるギフト情報送信画面の記述データと、を贈答者端末装置に送信するギフト画面送信手段と、
贈答者端末装置から返信されるギフト情報を受け付けるギフト情報受付手段と、
ギフト情報の認証コードと商品識別子とを対応付けて、カタログ・データベースに格納するデータベース格納手段と、
認証コードを含むカタログ閲覧請求を発行する電子メールを作成して、ギフト情報の電子メール・アドレスに送信する贈答メール発行手段と、
贈答品注文端末装置が送信するカタログ閲覧請求受け付けるカタログ閲覧請求受付手段と、
受け付けたカタログ閲覧請求に含まれる認証コードに基づいて、カタログ・データベースから、対応する商品識別子を検索する商品情報検索手段と、
検索した商品識別子に基づいて、商品データベースから、詳細情報を検索する詳細情報検索手段と、
取得した詳細情報に基づいて、配達先住所を含む贈答品の注文情報を作成するギフト・カタログの記述データを作成するギフト・カタログ作成手段と、
作成したギフト・カタログの記述データを贈答品注文端末装置に返信するカタログ提供手段と、
を備えることを特徴とするカタログ・サーバー装置。
【請求項６】
贈答品の代金領収により生成された認証コード送信要求をカタログ・サーバー装置に送信する認証コード要求手段と、
カタログ・サーバー装置が返信する認証コードを受信する認証コード受信手段と、
返信された認証コードを含む領収書を印刷する認証コード印刷手段と、
を備えることを特徴とするレジ装置。
【請求項７】
コンピューターに組込むことによって、コンピューターを請求項３から５のいずれか１項に記載のカタログ・サーバー装置として動作させるコンピュータプログラム。
【請求項８】
コンピューターに組込むことによって、コンピューターを請求項３、または、４、または、６のいずれか１項に記載のレジ装置として動作させるコンピュータプログラム。
【発明の詳細な説明】
【技術分野】
【０００１】
本発明は、ギフト用カタログを作成する方法、システム、装置、プログラムに関するものである。
本発明は特に、贈答者が商品展示場にて選んだ商品の商品情報が掲載されたカタログを作成する場合に有用である。
【背景技術】
【０００２】
カタログを用いた贈り物として、カタログギフトが知られている。カタログギフトでは、贈答者が所定のカタログを受贈者に送り、受け取った受贈者が、カタログに掲載された物品の中から気に入った商品を贈答品として選ぶ。
【０００３】
カタログギフトに用いるカタログには、贈答者が予め選択して、掲載する商品数を絞り込んだオリジナル贈答カタログというものがある。
【０００４】
たとえば、ＷＥＢページで掲載候補の商品を閲覧して、相手の嗜好に合いそうな商品で構成されたＷＥＢ式のオリジナル贈答カタログ（ギフト・カタログ、電子カタログ）を用いる技術であって、ＷＥＢ式オリジナル贈答カタログにて商品を決めた受贈者からお礼のメッセージを受信すると、商品を確認して代金を支払い相手に商品を届けるという技術が、非特許文献１に記載されている。
【０００５】
あるいは、印刷したオリジナル贈答カタログであって、ＷＥＢページで閲覧した掲載候補の商品の中から掲載商品を選択して、この掲載商品を印刷したカタログを作成する技術が、非特許文献２に記載されている。
【先行技術文献】
【非特許文献】
【０００６】
【非特許文献１】株式会社LEMO、ギフトキッチン、［online］［平成２５年７月９日検索］、インターネット＜ＵＲＬ：https://giftkitchen.jp/top/＞
【非特許文献２】株式会社オールアバウトエンファクトリー、ギフト専門サイト「COCOMO」がオリジナルギフトを作成できる新サービス「自分で作るカタログギフト、［online］［平成２５年７月９日検索］、インターネット＜ＵＲＬ：http://corp.allabout.co.jp/corporate/press/2011-02/120131-01.htm＞
【発明の概要】
【発明が解決しようとする課題】
【０００７】
ところで、贈答品を検討するうえで、実物を見て決定する行為は、重要である。贈答シーズンや、結婚式場などで贈答品を選ぶ場合には、商品展示場（たとえば、店舗、ショールーム、展示会ブースなど）で実物商品を前にして検討する機会は、非常に多い。
しかしながら、上記の従来技術によるオリジナル贈答カタログでは、いずれも、実物の商品を見て触れて、商品の選択が行なわれていない。
【０００８】
本発明は以上のような点を解決するためになされたものであって、本発明の課題は、カタログギフトにおいて、贈答者の意図が反映された贈答品の候補としての商品が掲載されたオリジナル贈答カタログ（以下、ギフト・カタログ）を作成・配付することが可能な方法、システム、装置、プログラムを提供することである。
【課題を解決するための手段】
【０００９】
本発明は、以下の各態様に記載の手段により、前記課題を解決する。
すなわち、本願発明の第１の発明は、
商品識別子と詳細情報との組合せを格納する商品データベースと、
認証コードを、商品識別子と対応付けて格納するカタログ・データベースと、
を用いるギフト・カタログ配布方法であって、
贈答品を贈る贈答者が携帯する贈答者端末装置が、場に展示され商品に付随する商品タグに近距離無線接続されると、商品タグが記憶する商品名および商品識別子を含む商品情報を読み取って、この商品情報の商品名を含むギフト・リストを作成して表示するギフト・リスト作成ステップ、
場に設置されたレジ装置が、代金領収により生成された認証コード送信要求をカタログ・サーバー装置に送信するとともに、返信された認証コードを贈答者に通知する代金支払ステップ、
贈答者端末装置が、表示したギフト・リストの作成に用いた前記商品情報の商品識別子と、贈答者により入力された前記認証コードと受贈者メール・アドレスと、を含むギフト情報を作成して、これをカタログ・サーバー装置に送信するギフト情報送信ステップ、
カタログ・サーバー装置が、受信したギフト情報の商品識別子と認証コードとを対応付けて、カタログ・データベースに格納するデータベース格納ステップ、
カタログ・サーバー装置が、受贈者メール・アドレスに、認証コードを含むギフト・カタログの配付を通知する贈答メールを送信する贈答メール発行ステップ、
贈答メールを受信した受贈者が認証コードを用いて、自分宛のギフト・カタログにアクセスするギフト・カタログ閲覧請求ステップ、
カタログ・サーバー装置が、ギフト・カタログにアクセスする受贈者の認証コードに基づいて、カタログ・データベース上の受贈者宛のギフト・カタログの作成に用いる商品識別子を検索する商品情報検索ステップ、
カタログ・サーバー装置が、検索した商品識別子に基づいて商品データベースを参照して、詳細情報を検索する商品詳細情報検索ステップ、
検索した詳細情報を用いて、ギフト・カタログを作成してこれを受贈者に返信するギフト・カタログ提供ステップ、
を含んだ手順でなされることを特徴とするギフト・カタログ配布方法である。
【００１０】
このように、展示場において、贈答者が選択した商品の商品名を、贈答者の端末装置（スマートフォン）に、非接触通信を活用してワンタッチで配信することが可能である。
従って、贈答者は、選択した商品の商品名をギフト・リストにして確認することが可能である。
また、贈答品を受け取る受贈者は、自身のスマートホンにギフト・カタログを表示させて、カタログギフトが可能となる。
【００１１】
本願発明の第１の発明の１つの態様は、
前記近距離無線接続は、
ＩＳＯ／ＩＥＣ  １４４４３  （ＭＩＦＡＲＥ）、ＩＳＯ／ＩＥＣ  １８０９２、ＩＳＯ／ＩＥＣ ２１４８１、ＩＥＥＥ ８０２.１５．１に基づく近距離無線通信規格である、
ことを特徴とするギフト・カタログ配布方法である。
【００１２】
本願発明の第２の発明は、
カタログ・サーバー装置と、贈答品を贈る贈答者が携帯する贈答者端末装置と、贈答メールを受信した受贈者の贈答品注文端末装置と、贈答品を展示する場に設置された、贈答代金を支払うレジ装置と、が接続可能に構成されるギフト・カタログシステムであって、
前記ギフト・カタログシステムは、さらに、前記贈答者端末装置と、場に展示され商品に付随する商品タグと、が近距離無線接続を可能に構成されるカタログシステムであって、
前記商品タグは、
商品名および商品識別子を含む商品情報を記憶する記憶手段と、
商品情報要求を受け付けて、記憶する商品情報を無線返信する無線送信手段と、
を備えるタグであって、
前記レジ装置は、
贈答品の代金領収により生成された認証コード送信要求をカタログ・サーバー装置に送信する認証コード要求手段と、
カタログ・サーバー装置が返信する認証コードを受信する認証コード受信手段と、
返信された認証コードを含む領収書を印刷する認証コード印刷手段と、
を備えるレジ装置であって、
前記贈答者端末装置は、
ＷＥＢブラウザー、もしくはＷＥＢブラウザー機能を含むアプリと、
商品タグの商品情報を読み取る商品名読取手段と、
を備える端末装置であって、
前記カタログ・サーバー装置は、
商品識別子と詳細情報との組合せを格納する商品データベースと、
認証コードを対応付けた商品識別子を格納するカタログ・データベースと、
を記憶する記憶手段と、
レジ装置が送信する認証コード送信要求を受け付けて、認証コードを生成して返信する認証コード発行手段と、
商品タグから取得した商品情報に基づいて、ギフト・リストを作成して表示させるギフト・リスト表示画面の記述データと、前記認証コードとメール・アドレスの入力を受け付けて、表示したギフト・リストの作成に用いた前記商品情報の商品識別子と認証コードとメール・アドレスを含むギフト情報を作成して返信させるギフト情報送信画面の記述データと、を贈答者端末装置に送信するギフト画面送信手段と、
贈答者端末装置から返信されるギフト情報を受け付けるギフト情報受付手段と、
ギフト情報の認証コードと商品識別子とを対応付けて、カタログ・データベースに格納するデータベース格納手段と、
認証コードを含むカタログ閲覧請求を発行する電子メールを作成して、ギフト情報の電子メール・アドレスに送信する贈答メール発行手段と、
贈答品注文端末装置が送信するカタログ閲覧請求受け付けるカタログ閲覧請求受付手段と、
受け付けたカタログ閲覧請求に含まれる認証コードに基づいて、カタログ・データベースから、対応する商品識別子を検索する商品情報検索手段と、
検索した商品識別子に基づいて、商品データベースから、詳細情報を検索・取得する詳細情報検索手段と、
取得した詳細情報に基づいて、配達先住所を含む贈答品の注文情報を作成するギフト・カタログの記述データを作成するギフト・カタログ作成手段と、
作成したギフト・カタログの記述データを贈答品注文端末装置に返信するカタログ提供手段と、
を備えるサーバー装置であって、
前記贈答品注文端末装置は、
ＷＥＢブラウザー、もしくはＷＥＢブラウザー機能を含むアプリと、
メーラーと、
を備える端末装置である、
ことを特徴とするギフト・カタログシステムである。
【００１３】
本願発明の第２の発明の１つの態様は、
前記近距離無線接続は、
ＩＳＯ／ＩＥＣ  １４４４３  （ＭＩＦＡＲＥ）、ＩＳＯ／ＩＥＣ  １８０９２、ＩＳＯ／ＩＥＣ ２１４８１、ＩＥＥＥ ８０２.１５．１に基づく近距離無線通信規格である、
ことを特徴とするカタログシステムである。
【００１４】
本願発明の第３の発明は、
商品識別子と詳細情報との組合せを格納する商品データベースと、
認証コードを対応付けた商品商品識別子を格納するカタログ・データベースと、
を記憶する記憶手段と、
レジ装置が送信する認証コード送信要求を受け付けて、認証コードを生成して返信する認証コード発行手段と、
商品タグから取得した商品情報に基づいて、ギフト・リストを作成して表示させるギフト・リスト表示画面の記述データと、前記認証コードとメール・アドレスの入力を受け付けて、商品商品識別子と認証コードとメール・アドレスを含むギフト情報を作成して返信させるギフト表示したギフト・リストの作成に用いた前記情報送信画面の記述データと、を贈答者端末装置に送信するギフト画面送信手段と、
贈答者端末装置から返信されるギフト情報を受け付けるギフト情報受付手段と、
ギフト情報の認証コードと商品情報とを対応付けて、カタログ・データベースに格納するデータベース格納手段と、
認証コードを含むカタログ閲覧請求を発行する電子メールを作成して、ギフト情報の電子メール・アドレスに送信する贈答メール発行手段と、
贈答品注文端末装置が送信するカタログ閲覧請求受け付けるカタログ閲覧請求受付手段と、
受け付けたカタログ閲覧請求に含まれる認証コードに基づいて、カタログ・データベースから、対応する商品識別子を検索する商品情報検索手段と、
検索した商品識別子に基づいて、商品データベースから、詳細情報を検索・取得する詳細情報検索手段と、
取得した詳細情報に基づいて、配達先住所を含む贈答品の注文情報を作成するギフト・カタログの記述データを作成するギフト・カタログ作成手段と、
作成したギフト・カタログの記述データを贈答品注文端末装置に返信するカタログ提供手段と、
を備えることを特徴とするカタログ・サーバー装置である。
【００１５】
本願発明の第４の発明は、
贈答品の代金領収により生成された認証コード送信要求をカタログ・サーバー装置に送信する認証コード要求手段と、
カタログ・サーバー装置が返信する認証コードを受信する認証コード受信手段と、
返信された認証コードを含む領収書を印刷する認証コード印刷手段と、
を備えることを特徴とするレジ装置である。
【００１６】
本願発明の第５の発明は、
コンピューターに組込むことによって、第２の発明、または、第３の発明に記載のカタログ・サーバー装置として動作させるコンピュータプログラムである。
【００１７】
本願発明の第６の発明は、第２の発明、または、第４の発明に記載のレジ装置として動作させるコンピュータプログラムである。
【発明の効果】
【００１８】
本願発明によれば、
（１）贈答者は、実際の商品を見て、あるいは触れて、贈答品の候補としての商品を選定することが可能である。
（２）贈答者の意図が反映された贈答品候補の商品が掲載されたギフト・カタログ（パーソナルギフトカタログ）を作成・配付することが可能である。
【図面の簡単な説明】
【００１９】
【図１】カタログ・システム１の全体構成を説明する図である。
【図２】カタログ・システム１の大まかな操作手順と処理の流れを説明する図である。
【図３】ギフト・リストの表示画面の例である。
【図４】認証コードが印刷された領収書５９１の例である。
【図５】ギフト情報送信画面の例である。
【図６】ギフト・カタログ３９１の例である。
【図７】認証画面の例である。
【図８】ギフト・カタログ表示画面２９２の例である。
【図９】詳細な処理の流れ（１）を説明する図である。
【図１０】詳細な処理の流れ（２）を説明する図である。
【図１１】詳細な処理の流れ（３）を説明する図である。
【図１２】詳細な処理の流れ（４）を説明する図である。
【図１３】商品タグの商品情報６４１を説明する図である。
【図１４】ギフト情報１９３を説明する図である。
【図１５】商品データベースを説明する図である。
【図１６】カタログ・データベース３９６の例を説明する図である。
【図１７】スマートホン１００の詳細な構成図である。
【図１８】カタログ・サーバー装置３００の詳細な構成図である。
【図１９】レジ装置５００の詳細な構成図である。
【図２０】（変形例）ＷＥＢカード決済サービス（オンライン）によるカード決済画面の例を説明する図である。
【図２１】スマートホン２００の機能ブロック図である。
【図２２】注文画面２９３の例を説明する図である。
【発明を実施するための形態】
【００２０】
以下、図面等を参照しながら、本発明の実施の形態について、さらに詳しく説明する。
【００２１】
（第１の実施形態）
図１は、本発明の実施の形態によるカタログ・システム１の全体構成を説明する図である。
贈答品を贈る贈答者が携帯する贈答者端末装置１００と、贈答品注文端末装置２００と、カタログ・サーバー装置３００と、メール・サーバー装置４００と、贈答品を展示する展示場（場）に設置された代金を支払う支払装置５００と、展示場に展示され商品に付随する商品タグ６４０と、が接続可能に構成されるカタログ・システム１である。
贈答者端末装置１００、あるいは、贈答品注文端末装置２００は、基地局７００と無線接続して、ゲートウェー８００を経由して、通信ネットワーク９００と接続される。
通信ネットワーク９００は、インターネットである。
カタログ・サーバー装置３００、支払装置５００、メール・サーバー装置４００は、通信ネットワーク９００と接続される。
なお、贈答者端末装置１００は、商品タグ６４０と、近距離無線接続が可能となるように構成される。
ここで、近距離無線接続（ＮＦＣ、Ｎｅａｒ  Ｆｅｉｌｄ  Ｃｏｎｅｃｔｉｏｎ）接続とは、ＩＳＯ／ＩＥＣ  １４４４３  （ＭＩＦＡＲＥ）、あるいは、ＩＳＯ／ＩＥＣ  １８０９２、ＩＳＯ／ＩＥＣ  ２１４８１、あるいは、ＩＥＥＥ  ８０２.１５．１などに基づく近距離無線通信規格による無線接続である。
【００２２】
カタログ・サーバー装置３００は、既存のサーバー装置に後述する専用プログラムを搭載したものである。
【００２３】
贈答者端末装置１００は、既存のスマートホンである。
【００２４】
贈答品注文端末装置２００は、既存のスマートホンである。
【００２５】
支払装置５００は、既存のレジ装置（金銭登録機）に後述する専用プログラムを搭載したものである。レジ装置５００は、カタログ・サーバー装置３００と通信ネットワーク９００経由で通信する機能を備える。
【００２６】
商品タグ６４０は、既存のＮＦＣ用の無線ＩＣタグである。無線ＩＣタグの代わりに、既存のスマートホンを商品タグとして用いてもよい（なお、既存のスマートホンを商品タグとして利用する場合には、ＩＥＥＥ  ８０２.１５．１規格にて接続する）。
【００２７】
メール・サーバー装置４００は、既存の電子メール・サーバー装置である。
【００２８】
図２は、カタログ・システム１の大まかな操作手順と処理の流れを説明する図である。
【００２９】
（１）贈答者は、展示会場６００で、商品６２０を選択する。
展示会場６００にて実物の商品６２０を見て触れて、選択した商品に付随する商品タグ６４０に、自身の贈答者端末装置１００（スマートホン）をタッチする。
【００３０】
（２）ギフト・リストの作成
スマートホン１００は、商品タグ６４０が記憶する商品情報を読み取って、ギフト・リスト１９１を作成して表示する。そこで、贈答者はギフト・リスト１９１を見て、選択した商品の内容を確認する（詳細は後述する） 。
【００３１】
（３）代金の支払
店員は、贈答者が呈示するギフト・リスト１９１を見て料金を確認する。店員は、贈答者が支払う代金を、支払装置５００（レジ装置）に入金して、認証コードが印刷された領収書５９１を贈答者に手渡す（詳細は後述する）。
【００３２】
（４）ギフト情報のアップロード
贈答者は、スマートホン１００から、商品情報を含むギフト情報を、カタログ・サーバー装置３００に、送信する。カタログ・サーバー装置３００は、受信したギフト情報を保存する（詳細は後述する）。
【００３３】
（５）ギフト・カタログ３９１の作成
受贈者が、カタログ・サーバー装置３００にて受贈者認証した後に、カタログ・サーバー装置３００は、保存するギフト情報に基づいて、商品データベースを参照して商品の詳細情報を検索して、ギフト・カタログ３９１を作成し、受贈者の贈答品注文端末装置２００（スマートホン）に送信する（詳細は後述する）。
【００３４】
（６）贈答品の注文
受贈者は、スマートホン２００にギフト・カタログ３９１を表示させて、贈答品を選び、注文する（詳細は後述する）。
カタログ・サーバー装置３００は、注文を受け付けて、発送手続きする。
【００３５】
図１３は、商品タグ６４０が格納する商品情報６４１の説明図である。
商品情報６４１は、商品番号６４１１と、商品名６４１２と、商品詳細情報格納ＵＲＩ６４１３と、から構成される。
商品番号６４１１は、ユニークな数字列である。商品を識別する商品識別情報（商品識別子）として用いる。
商品名６４１２は、文字列である。
商品詳細情報格納ＵＲＩ６４１３は、商品の詳細情報を格納する位置を示すＵＲＩ（Uniform Resource Identifier。統一資源識別子）である。ここで、ＵＲＩが示す位置には、たとえば、後述する商品データベースに格納される商品画像などが格納されている。
【００３６】
図３は、ギフト・リストの表示画面の例である。
図３には、スマートホン１００の表示部１０２に表示されたギフト・リスト１９１が例示されている。
ギフト・リスト１９１は、商品名の一覧から構成される。
商品名の一覧１９１３として、「シルクネクタイ」、「赤ワイン」、「革製財布」、「刺繍ハンカチ」などの商品名が例示されている。
【００３７】
なお、ギフト・リスト１９１には、さらに、商品画像を表示させても良い。このときには、商品詳細情報格納ＵＲＩ６４１３、あるいは、商品番号６４１１を用いて、該当する商品画像をカタログ・サーバー装置３００に問い合わせて取得する。
【００３８】
図４は、認証コードが印刷されている領収書５９１の例である。
領収書５９１は、贈答品の代金が支払完了していることを証明する。
例示された領収書５９１には、認証コード５９１１「８９fq２９hc３」が印刷されている。
認証コード５９１１は、ユニークな文字列である。この認証コード５９１１は、カタログ・サーバー装置３００がレジ装置５００に発行する（詳細は後述する）。
【００３９】
図５は、ギフト情報送信画面の例である。
ギフト情報送信画面は、スマートホン１００の表示部１０２に表示された画面である。
ギフト情報送信画面１９２は、認証コードを入力する入力欄１９２１と、贈る相手のメール・アドレスを入力する入力欄１９２２と、アップロード・ボタン１９２３と、を備える。
認証コードを入力する入力欄１９２１は、贈答者が入力する領収書５９１の認証コードを受け付けて表示する欄である。
贈る相手のメール・アドレスを入力する入力欄１９２２は、贈答者が入力するメール・アドレス（贈答メール・アドレス）を受け付けて、これを表示する欄である。
アップロード・ボタン１９２３は、認証コードとメール・アドレスと商品情報６４１とを含むギフト情報をサーバー装置３００に送信させるための指示を、贈答者が入力する入力ボタンである。
【００４０】
図６は、ギフト・カタログの例である。
ギフト・カタログ３９１は、注文用商品選択チェックボックス３９１３と、注文用ボタン３９１１と、商品画像３９１５と、商品名３９１４と、商品説明文表示用ボタン３９１２と、から構成される。
注文用ボタン３９１１は、選択された商品（チェックボックスにチェックマークが表示された商品）を特定する情報を確定して、注文画面に切り替えるボタンである。
商品説明文表示用ボタン３９１２は、ギフト・カタログの選択された商品（チェックボックスにチェックマークが表示された商品）の説明文情報をサーバーに要求するボタンである。
注文用商品選択チェックボックス３９１３は、贈答品として選択したことを表すチェックマークを表示するチェックボックスである。
商品名３９１４は、商品名６４１２と同じである。
商品画像３９１５は、ビットマップデータである。
ギフト・カタログ３９１には、たとえば、商品名３９１４「シルクネクタイ」とその画像、また、「赤ワイン」とその画像などが例示されている。
【００４１】
なお、ギフト・カタログは、ＷＥＢブラウザーで表示可能な記述データとして編集された電子カタログのデータである（詳細は後述する）。
【００４２】
図７は、受贈者の認証画面２９１の例である。
受贈者の認証画面２９１は、スマートホン２００の標示部２０２に表示された画面である。
受贈者の認証画面２９１は、認証コード入力欄２９１１と、送信ボタン２９１３と、を備える。
認証コード入力欄２９１１は、受贈者が入力する電子メールに記載の認証コードを受け付けて表示する欄である。（詳細は後述する）
送信ボタン２９１３は、認証コードをサーバーに送信させるための指示を、受贈者が入力する入力ボタンである。
【００４３】
図８は、ギフト・カタログ表示画面２９２の例である。
ギフト・カタログ表示画面２９２は、ギフト・カタログ３９１がスマートホン２００の標示部２０２に表示された画面である。
例示されたギフト・カタログ表示画面２９２は、贈答品として選択された、商品名３９１４「赤ワイン」の注文用商品選択チェックボックス３９１３にチェックマークが表示されている。
【００４４】
図２２は、注文画面２９３の例である。
例示された注文画面２９３は、注文する商品の情報と、配達先住所の入力欄と、注文情報を送信する送信ボタンから構成されている。
【００４５】
図９から図１２は、カタログ・システム１の詳細な処理の流れを説明する図である。
【００４６】
図９は、（２）ギフト・リストの作成、（３）代金の支払の詳細な処理の流れを説明する図である。
【００４７】
（２）ギフト・リストの作成
（２−１）スマートホン１００は、ギフト表示画面の記述データをカタログ・サーバー装置３００に要求して、ギフト・リスト表示画面を表示する。
（２−２）カタログ・サーバー装置３００は、上記のスマートホン１００の要求に基づいて、ギフト・リスト表示画面の記述データとギフト情報送信画面１９２の記述データとを返信する。
（２−３）スマートホン１００は、贈答者が選んだ商品タグ６４０の商品情報を読み取り、この商品情報に基づいて、商品名を一覧させるギフト・リスト１９１を作成してギフト・リスト表示画面に表示する。
【００４８】
（３）代金の支払
（３−１）レジ装置５００は、店員が入力した代金情報を受け付けて、代金決済を承認して、認証コード要求をカタログ・サーバー装置３００に送信する。
（３−２）カタログ・サーバー装置３００は、レジ装置５００が送信する認証コード要求を受け付けて、認証コードを返信する。
（３−３）レジ装置５００は、返信された認証コードを含む領収書５９１を印刷する。
【００４９】
図１０は、（４）ギフト情報のアップロード、（５）ギフト・カタログ３９１の作成の詳細な処理の流れを説明する図である。
（４）ギフト情報のアップロード
（ ４−１ ）スマートホン１００は、贈答者が表示させたギフト情報送信画面１９２にて、領収書の認証コード５９１１と贈答先のメール・アドレス（受贈者メール・アドレス）の入力を受け付ける。
（４ー２）スマートホン１００は、ギフト情報送信画面１９２にて受け付けた認証コードとメール・アドレスと、ギフト・リスト表示画面に表示したギフト・リスト１９１の作成に用いた商品情報とを含むギフト情報を作成して、カタログ・サーバー装置３００に送信する。
【００５０】
（５）ギフト・カタログの作成
（５ー１）カタログ・サーバー装置３００は、スマートホン１００が送信するギフト情報を受け付ける。受け付けたギフト情報の商品情報１９３３と認証コード１９３２とを対応付けて、カタログ・データベース３９６に格納する。
なお、カタログ・データベース３９６に格納するに当って、ギフト情報の認証コード１９３２の正当性を判定する場合には、カタログ・サーバー装置３００自身が、（３−２）にて発行して返信した認証コードをこのときに保存しておき、保存した認証コードの中にギフト情報の認証コードと一致する認証コードが存在する場合には正当であると判定する正当性判定処理を行なえばよい。
【００５１】
図１１と、図１２は、（６）贈答品の注文の詳細な処理の流れを説明する図である。
【００５２】
図１１は、（６−１）贈答メールと認証の詳細な処理の流れを説明する図である。
（６）贈答品の注文の詳細な処理の流れ
（６−１）贈答メールと認証の詳細な処理の流れ
（６−１−１）カタログ・サーバー装置３００は、通常の電子メールの送信手順に従って、電子メール・サーバー装置４００を経由して、受贈者の贈答品注文端末装置（スマートホン）２００に、認証コードと認証画面送信要求のリンクとを含む贈答メールを送信する。
（６−１−２）スマートホン２００は、通常の電子メールの受信手順に従って、電子メール・サーバー装置４００を経由して、贈答メールを受信・表示する。
（６−１−３）受贈者が自分宛のギフト・カタログにアクセスするために、スマートホン２００は、贈答メールの指示内容に従って認証画面送信要求を、カタログ・サーバー装置３００に送信する。
（６−１−４）カタログ・サーバー装置３００は、認証画面送信要求を受け付けて、認証画面２９１を返信する。
（６−１−５）スマートホン２００は、返信された認証画面２９１を表示する。
（６−１−６）スマートホン２００は、認証画面２９１に入力された認証コードを返信する。
（６−１−７）カタログ・サーバー装置３００は、ギフト・カタログ・データベースの認証コードを参照して、認証コードが一致すれば認証する。
【００５３】
図１２は、（６−２）注文の詳細な処理の流れを説明する図である。
（６）贈答品の注文の詳細な処理の流れ
（６−２）注文の詳細な処理の流れ
（６−２−１）カタログ・サーバー装置３００は、認証コードに基づいて、ギフト・カタログ・データベース３９６を参照して、対応する商品情報３９６３を検索する。
次に、検索した商品情報に基づいて、商品データベースを参照して、この商品の詳細情報を検索する。
（６−２−２）カタログ・サーバー装置３００は、商品の詳細情報に基づいて、ギフト・カタログ３９１を作成して、送信する。
（６−２−３）スマートホン２００は、ギフト・カタログ３９１をギフト・カタログ表示画面２９２に表示する。
（６−２−４）スマートホン２００は、受贈者が入力したチェックボックスのチェックマークを受け付けて、このチェックマークのついた商品の商品番号を特定する。
次に、特定した商品番号と認証コードと入力された配達先住所情報とを含む注文情報を作成して、カタログ・サーバー装置３００に送信する。
（６−２−５）カタログ・サーバー装置３００は、スマートホン２００が送信する注文情報を受信する。
（６−２−６）カタログ・サーバー装置３００は、受信した注文情報に基づいて、商品データベースの在庫情報を検索して、注文情報の商品の発送指示情報を生成して、保持する。
【００５４】
図１４は、ギフト情報１９３の説明図である。
ギフト情報１９３は、電子メール・アドレス１９３１と、認証コード１９３２と、商品情報１９３３と、から構成される。
贈答メール・アドレス１９３１（メール・アドレス、電子メール・アドレス）は、RFCのRFC 5321 (Simple Mail Transfer Protocol)、および、RFC 5322 (Internet Message Format) にて定義されている表記に従う文字列である。
認証コード１９３２は、既に説明した認証コード５９１１と同じである。
商品情報１９３３は、既に説明した商品情報６４１と同じである。
【００５５】
図１５は、商品データベース３９５の説明図である。
商品データベース３９５は、商品識別子と、詳細情報と、在庫状況３９５６などと関連付けられて格納されるデータベースである。
商品識別子は、商品番号３９５１である。
詳細情報は、商品価格３９５３、商品名３９５２、商品説明文３９５４、商品画像３９５５などを含む情報である。
商品番号３９５１は、ユニークな数字列である。
商品名３９５２は、商品名６４１２と同じである。
商品価格３９５３は、商品の価格をあらわす数字列である。
商品説明文３９５４は、数字列である。
商品画像３９５５は、ビットマップ画像である。
在庫状況３９５６は、在庫数量をあらわす数字列である。
【００５６】
図１６はカタログ・データベース３９６の説明図である。
カタログ・データベース３９６は、認証コード３９６１が、贈答メール・アドレス３９６２と、商品情報３９６３などと関連付けられて格納されるデータベースである。
認証コード３９６１は、既に説明した認証コード５９１１と同じである。
贈答メール・アドレス３９６２は、既に説明した電子メール・アドレス１９３１と同じである。
商品情報３９６３は、商品情報１９３３と同じデータである。
【００５７】
図１７は、カタログ・サーバー装置３００の詳細な構成図である。
カタログ・サーバー装置３００は、ＣＰＵ３０１と、ネットワーク通信部３０４と、記憶部３０９と専用プログラムなどを備える。
ＢＵＳ３９９は、ＣＰＵ３０１と、ネットワーク通信部３０４と、記憶部３０９などを接続する。
【００５８】
ＣＰＵ３０１は、中央演算装置である。
ネットワーク通信部３０４は、コネクター（たとえば、インターネット通信コネクター）である。
【００５９】
記憶部３０９は、半導体メモリーや磁気メモリーである。
記憶部３０９は、データベース格納領域３０９１と、ギフト情報格納領域３０９２と、注文管理格納領域３０９３と、を備えて、オペレーティングシステム３９７と、ＨＴＴＰサーバー ３９８と、専用プログラムとを記憶する。
データベース格納領域３０９１は、商品データベース３９５と、カタログ・データベース３９６を格納する。
ギフト情報格納領域３０９２は、ギフト情報１９３を格納する。
注文管理格納領域３０９３は、注文情報３９３と発送指示情報３９４とを格納する。
【００６０】
オペレーティングシステム３９７は、カタログ・サーバー装置３００のハードウェア（たとえば、ＣＰＵ３０１と、ネットワーク通信部３０４と、記憶部３０９と、ＢＵＳ３９９など）を管理・制御して、応用ソフトウエア（たとえば、専用プログラム）に対して、これらのハードウェアを利用できるようなサービスを提供する基本ソフトウエアである。
【００６１】
ＨＴＴＰサーバー３９８は、マークアップ記述言語による記述データをＨＴＴＰによる通信にて、クライアントソフトウェア（ＷＥＢブラウザー）と、送受信するサービスプログラムである。
【００６２】
このほかに、それぞれの専用プログラムによって実現される各手段（認証コード発行手段３１０と、ギフト画面送信手段３２０と、ギフト情報受付手段３３０と、データベース格納手段３３５と、贈答メール発行手段３４０と、カタログ閲覧請求受付手段３５０と、商品情報検索手段３５２と、詳細情報検索手段３５４と、カタログ作成手段３５６と、カタログ提供手段３５８と、注文手段３８０など）を備える。
各手段は、それぞれの専用プログラムがＣＰＵ３０１に解釈・実行されることによって機能する。
【００６３】
認証コード発行手段３１０は、レジ装置５００が送信する認証コード要求を受け付けて、認証コードを返信する機能を実行するプログラムモジュールである。（詳細は、図９の（３）代金の支払の項で説明した）
【００６４】
ギフト画面送信手段３２０は、スマートホン１００からの要求に基づいて、商品タグ６４０から取得した商品情報６４１を基にして、ギフト・リスト１９１を作成してこれを表示させるギフト・リスト表示画面の記述データと、
認証コードとメール・アドレスの入力を受け付けて、商品情報１９３３と認証コード１９３２とメール・アドレス１９３１を含むギフト情報１９３を作成して返信させるギフト情報送信画面１９２の記述データと、
をスマートホン１００に送信する機能、
を実行するプログラムモジュールである。（詳細は、図１０の（４）リストのアップロードの項で説明した）
【００６５】
ギフト情報受付手段３３０は、スマートホン１００が送信するギフト情報１９３を受け付ける機能、
を実行するプログラムモジュールである。
【００６６】
データベース格納手段３３５は、
ギフト情報の商品情報１９３３を、ギフト情報の認証コード１９３２に関連付けて、カタログ・データベース３９６に格納する機能、
を実行するプログラムモジュールである。
【００６７】
贈答メール発行手段３４０は、
ギフト情報１９３の電子メール・アドレス宛に、認証コードとカタログ閲覧要求のリンクとを含む贈答メールを送信する機能、
を実行するプログラムモジュールである。（詳細は、図１０の（６−１）贈答メールと認証の詳細な処理の流れの項で説明した）
【００６８】
カタログ閲覧請求受付手段３５０は、
スマートホン２００が送信するカタログ閲覧要求を受け付けて、認証画面２９１の記述データを返信する認証画面送信機能と、（詳細は、図７、図１１の（６−１−４）の項で説明した）
スマートホン２００が送信する認証コードを受け取って、カタログ・データベース３９６の認証コード３９６１を検索して、一致する認証コード３９６１が存在する場合には認証する認証機能と、（詳細は、図１１の（６−１−７）の項で説明した）
を実行するプログラムモジュールである。
【００６９】
商品情報検索手段３５２は、
認証された認証コード３９６１に対応した商品情報３９６３をカタログ・データベースから取得するデータベース検索機能と、（詳細は、図１２の（６−２−１）の項で説明した）
を実行するプログラムモジュールである。
【００７０】
詳細情報検索手段３５４は、
取得受した商品情報３９６３の商品識別子（商品番号）に基づいて、商品データベース３９５の商品番号を参照して、一致する商品番号に関連する詳細情報（たとえば、商品価格、商品説明文、商品画像など）を検索・取得する機能、
を実行するプログラムモジュールである。
【００７１】
カタログ作成手段３５６は、
商品情報３９６３と取得した詳細情報とに基づいて、ギフト・カタログ３９１の記述データを作成する機能、
を実行するプログラムモジュールである。
【００７２】
カタログ提供手段３５８は、
作成したギフト・カタログの記述データ３９１をスマートホン２００に送信するカタログ配付機能と、
を実行するプログラムモジュールである。
【００７３】
注文手段３８０は、スマートホン２００の注文画面２９３を用いて送信する、商品を特定する情報（たとえば、商品番号３９５１）と認証コードと配達先住所情報とを含む注文情報３９３を受け付ける機能と、
受信した注文情報３９３に基づいて、商品データベースの在庫情報を検索して、注文情報の商品の発送指示情報３９４を生成して、保持する機能と、
を実行するプログラムモジュールである。（詳細は、図１１の（６−２）注文の詳細な処理の流れの項で説明した）
【００７４】
図１９は、スマートホン１００の詳細な構成図である。
スマートホン１００は、ＣＰＵ１０１と、入力部１０３と、表示部１０２と、ＮＦＣコネクター１０４と、ＳＩＭコネクター１０５と、カメラ１０６と、マイク１０８と、スピーカー１０７と、無線通信回路１１０と、電源部１１１と、不揮発性メモリー１０９１と、揮発性メモリー１０９２と、ＢＵＳ１９９などを備える。
ＢＵＳ１９９は、ＣＰＵ１０１と、ＮＦＣ・ＲＷ１０４と、記憶部３０９などを接続する。
【００７５】
ＣＰＵ１０１は、中央演算装置である。
入力部１０３は、タッチパネルである。
表示部１０２は、液晶表示装置や有機ＥＬ表示装置である。
ＮＦＣコネクター１０４は、商品タグ（無線ＩＣ）とＮＦＣにて接続する回路である。ＮＦＣの通信手順としては、ＩＳＯ／ＩＥＣ  １４４４３  （ＭＩＦＡＲＥ）、ＩＳＯ／ＩＥＣ  １８０９２、ＩＳＯ／ＩＥＣ ２１４８１、ＩＥＥＥ ８０２.１５．１などに基づく近距離無線通信規格による無線接続である。
ＳＩＭコネクター１０５は、ＳＩＭカードを接続するコネクターである。
無線通信回路１１０は、基地局と無線通信する。
不揮発性メモリー１０９１は、半導体メモリーである。
揮発性メモリー１０９２は、半導体メモリーである。
電源部１１１は、ＣＰＵ１０１と、入力部１０３と、表示部１０２と、ＮＦＣ・ＲＷ１０４と、無線通信回路１１０と、不揮発性メモリー１０９１と、揮発性メモリー１０９２と、ＢＵＳ１９９その他に、電力を供給する。
【００７６】
不揮発性メモリー１０９１は、アドレス帳格納領域１０９１１を備えて、オペレーティングシステム１９７と、ＷＥＢブラウザー１９５と、電子メールソフト１９８を記憶する。
アドレス帳格納領域は、アドレス帳データを格納する。
揮発性メモリー１０９２は、ギフト情報格納領域１０９２１を備える。
ギフト情報格納領域１０９２１は、ギフト情報１９３（商品情報１９３３と、認証コード１９３２と、メール・アドレス１９３１）を格納する。
【００７７】
オペレーティングシステム１９７は、スマートホン１００のハードウェア（たとえば、ＣＰＵ１０１と、入力部１０３と、表示部１０２と、ＮＦＣ・ＲＷ１０４と、無線通信回路１１０と、不揮発性メモリー１０９１と、揮発性メモリー１０９２と、ＢＵＳ１９９、その他）を管理・制御して、応用ソフトウエア（たとえば、ＷＥＢブラウザー１９５）に対して、これらのハードウェアを利用できるようなサービスを提供する基本ソフトウエアであって、既存のソフトウエアである。
【００７８】
ＷＥＢブラウザー１９５は、マークアップ記述言語による記述データを、ＨＴＴＰサーバー３９８とＨＴＴＰ通信にて、送受信する既存のブラウザーである。
ＷＥＢブラウザー１９５の代わりに、ＷＥＢブラウザー機能を備えるアプリを用いてもよい。
【００７９】
電子メールソフト１９８（メーラー）は、電子メール・サーバー装置４００と、電子メールを送受信し管理するための既存のアプリケーション・ソフトウエアである。
【００８０】
このほかに、専用プログラムによって実現されるタグ読取手段１２０を備える。
この手段は、それぞれの専用プログラムがＣＰＵ３０１に解釈・実行されることによって機能する。
【００８１】
タグ読取手段１２０は、商品タグ６４０のタグ情報６４１を読み取る機能を実行するプログラムモジュールである。（詳細は、図９の（２）商品リストの作成の項で説明した）
【００８２】
図２１は、スマートホン２００の機能ブロック図である。
なお、スマートホン２００の構成要素のうち、スマートホン１００と異なるもののみを説明する。
【００８３】
揮発性メモリー２０９２は、カタログ格納領域２０９２１と配達先住所格納領域２０９２２とを備える。
カタログ格納領域２０９２１は、ギフト・カタログ・データ３９１を格納する。
配達先住所格納領域２０９２２は、配達先住所データ２９５を格納する。
【００８４】
図１８は、レジ装置５００の詳細な構成図である。
ＣＰＵ５０１と、入力部５０２と、表示部５０３と、ネットワーク通信部５０４と、記憶部５０９と、ＢＵＳ５９９と、専用プログラムなどを備える。
ＢＵＳ５９９は、ＣＰＵ５０１と、入力部５０２と、表示部５０３と、ネットワーク通信部５０４と、記憶部５０９などを接続する。
【００８５】
ＣＰＵ５０１は、中央演算装置である。
入力部５０２は、キーボード、あるいは、タッチパネルである。
表示部５０３は、液晶表示装置や有機ＥＬ表示装置である。
ネットワーク通信部５０４は、インターネット通信コネクターである。
【００８６】
記憶部５０９は、半導体メモリーや磁気メモリーである。
記憶部５０９は、オペレーティングシステム５９７と、レジスター・プログラム５９２と、専用プログラムとを記憶する。
オペレーティングシステム５９７は、レジ装置５００のハードウェア（たとえば、ＣＰＵ５０１と、入力部５０２と、表示部５０３と、ネットワーク通信部５０４と、記憶部５０９と、ＢＵＳ５９９など）を管理・制御して、応用ソフトウエア（たとえば、レジスター・プログラム５９２、あるいは、専用プログラム）に対して、これらのハードウェアを利用できるようなサービスを提供する基本ソフトウエアである。
レジスター・プログラム５９２は、既存のレジ装置５００が備える応用ソフトウエアである。
【００８７】
このほかに、それぞれの専用プログラムによって実現される以下の各手段（認証コード要求手段５１０、認証コード受信手段５２０、認証コード印刷手段５３０）を備える。
各手段は、それぞれの専用プログラムがＣＰＵ１０１に解釈・実行されることによって機能する。
【００８８】
認証コード要求手段５１０は、
贈答品の代金を支払ったことを証明する支払決済情報をカタログ・サーバー装置３００に送信する機能
を実行するプログラムモジュールである。（詳細は、図９の（３）代金の支払の項で説明した）
【００８９】
認証コード受信手段５２０は、カタログ・サーバー装置３００が返信する認証コードを受信する機能を実行するプログラムモジュールである。
【００９０】
認証コード印刷手段５３０は、返信された認証コードを含む領収書５９１を印刷する機能、
を実行するプログラムモジュールである。（詳細は、図４で説明した）
【００９１】
（変形例）
代金支払の変形例を説明する。
スマートホン１００に、クレジットカード決済のためのカード支払画面を表示させて、贈答品の代金を支払う例である。
【００９２】
図２０は、クレジットカード決済の仕組みを説明する図である。
例示されたカード決済画面１９４は、支払額表示領域と、カード情報入力欄と、カード会社選択欄と、カード番号入力欄と、確定ボタン、その他から構成されている。
「（３）代金の支払」の手順は、たとえば、以下のとおりにすればよい。
（３−１）スマートホン１００は、カタログ・サーバー装置３００から、クレジットカード決済のためのカード決済画面１９４を受信して表示する。このとき、支払額はギフト・リストを元にカタログ・サーバー装置３００で計算して計算結果を支払額表示領域に「カード決済のお支払\5,000」と表示している。
（３−２）贈答者がカード決済画面に所定の入力を完了すると、スマートホン１００は、クレジットカード決済情報を、カタログ・サーバー装置３００に送信する。
カタログ・サーバー装置３００は、クレジットカード決済情報に基づいて、表示された支払額を含むクレジットカード決済情報を作成して、クレジットカードの決済サーバーに送信する。
（３−３）カタログ・サーバー装置３００は、決済サーバーが返信する決済承認情報を受領した場合には、認証コードをスマートホン１００に送信する。
【００９３】
（変形例２）
ギフト情報１９３の変形例を説明する。
ギフト情報に含まれる商品情報１９３３は、商品識別子（商品番号）６４１１のみとしても良い。従って、この変形例では、ギフト情報１９３は、商品識別子６４１１と、贈答メール・アドレス１９３１と、認証コード１９３２とから構成される。
【００９４】
以上のように、本願の実施形態によれば、贈答者は商品展示会場にて選んだ商品を掲載したギフト・カタログを受贈者に配布することが可能となる。
ギフト・カタログを受け取った受贈者は、カタログの中から好みの商品を贈答品として選ぶことが可能となる。
【符号の説明】
【００９５】
１  カタログ・システム
１００  贈答者端末装置、スマートホン
１０２  表示部
１０３  入力部
１０４  ＮＦＣコネクター
１９１  ギフト・リスト
１９２  ギフト情報送信画面
１９３  ギフト情報
１９３１  贈答メール・アドレス
１９３２  認証コード
１９３３  商品情報
１９５  ＷＥＢブラウザー
２００  贈答品注文端末装置、スマートホン
２０４  ＮＦＣコネクター
２９１  認証画面、受贈者の認証画面
２９２  ギフト・カタログ表示画面
２９３  注文画面
３００  カタログ・サーバー装置
３１０  認証コード発行手段
３２０  ギフト画面送信手段
３３０  ギフト情報受付手段
３３５  データベース格納手段
３４０  贈答メール発行手段
３５０  カタログ閲覧請求受付手段
３５２  商品情報検索手段
３５４  詳細情報検索手段
３５６  カタログ作成手段
３５８  カタログ提供手段
３８０  注文手段
３９１  ギフト・カタログ、電子カタログ、ギフト・カタログ・データ、ギフト・カタログの記述データ
３９１４  商品名
３９５  商品データベース
３９５１  商品番号、商品識別子、商品識別情報
３９５２  商品名
３９５５  商品画像
３９６  カタログ・データベース
３９６１  認証コード
３９６３  商品情報
４００  メール・サーバー装置、電子メール・サーバー装置
５００  支払装置、レジ装置
５１０  認証コード要求手段
５２０  認証コード受信手段
５３０  認証コード印刷手段
５９１  領収書、レシート
５９１１  認証コード
６００  展示会場
６２０  商品
６４０  商品タグ、無線タグ、ＩＣタグ
６４１  商品タグの商品情報、タグ情報
６４１１  商品番号
６４１２  商品名
７００  基地局
８００  ゲートウェー
９００  通信ネットワーク
【図１】
2015041278.tif 000003
【図２】
2015041278.tif 000004
【図３】
2015041278.tif 000005
【図４】
2015041278.tif 000006
【図５】
2015041278.tif 000007
【図６】
2015041278.tif 000008
【図７】
2015041278.tif 000009
【図８】
2015041278.tif 000010
【図９】
2015041278.tif 000011
【図１０】
2015041278.tif 000012
【図１１】
2015041278.tif 000013
【図１２】
2015041278.tif 000014
【図１３】
2015041278.tif 000015
【図１４】
2015041278.tif 000016
【図１５】
2015041278.tif 000017
【図１６】
2015041278.tif 000018
【図１７】
2015041278.tif 000019
【図１８】
2015041278.tif 000020
【図１９】
2015041278.tif 000021
【図２０】
2015041278.tif 000022
【図２１】
2015041278.tif 000023
【図２２】
2015041278.tif 000024